(57)【要約】【課題】凝縮器用フィルタの清掃を簡便且つ確実に行うことができるショーケースを提供する。【解決手段】ショーケース本体２の下部に設けられた機械室４と、機械室４側面の開口を開閉するとともに外気を機械室４内に導入する通気孔１１が形成されたキックプレート１００と、機械室４内に設けられた凝縮器２０と、キックプレート１００と前記凝縮器２０との間に配置された凝縮器用フィルタ２００とを備えたショーケース１において、凝縮器用フィルタ２００に対して上下に亘って延在する態様で当接して凝縮器用フィルタ２００に付着した塵埃を除去する少なくとも２つのブラシ３３０を左右方向に備え、ブラシ３３０は、キックプレート１００の外側からの操作により左右方向に摺動可能に設けられ、最左端のブラシ３３０と最右端のブラシ３３０の間隔をブラシの長さと同じ又は長くした。【選択図】図８
2019200023.tif 000002
【特許請求の範囲】
【請求項１】
ショーケース本体の下部に設けられた機械室と、前記機械室側面の開口を開閉するとともに外気を機械室内に導入する通気孔が形成されたキックプレートと、前記機械室内であって前記キックプレートの通気孔と対向する位置に設けられた凝縮器と、前記キックプレートと前記凝縮器との間に配置された凝縮器用フィルタとを備えたショーケースにおいて、
前記凝縮器用フィルタに対して上下に亘って延在する態様で当接して前記凝縮器用フィルタに付着した塵埃を除去する少なくとも２つのブラシを左右方向に備え、
前記ブラシは、所定間隔を維持した状態で前記キックプレートの外側からの操作により左右方向に摺動可能に設けられ、
最左端のブラシと最右端のブラシの間隔をブラシの長さと同じ又は長くした
ことを特徴とするショーケース。
【請求項２】
前記ショーケースは、さらに、
前記ブラシを所定間隔に維持した状態で保持する保持部材と、
前記キックプレートに左右方向に形成された操作用スリットに挿通されるとともに前記保持部材に連結した操作部とを備えた
ことを特徴とする請求項１記載のショーケース。
【請求項３】
前記保持部材は略矩形の枠体を備え、
前記ブラシは前記枠体の左右一対の縦辺のそれぞれに付設されている
ことを特徴とする請求項２記載のショーケース。
【請求項４】
前記キックプレートには複数の前記通気孔が所定の間隔をおいて左右方向に整列するよう形成され、
前記ブラシの所定間隔は、前記複数のブラシが摺動可能領域の端部に位置した際に、各ブラシの位置が前記キックプレートに対して前記通気孔の非形成領域に対向するように設定されている
ことを特徴とする請求項２又は３記載のショーケース。
【請求項５】
前記ブラシの摺動可能領域に配置され、前記ブラシと係合して前記ブラシに付着した塵埃を除去する塵埃除去部材を備えた
ことを特徴とする請求項１乃至４何れか１項記載のショーケース。
【請求項６】
前記塵埃除去部材は、前記ブラシが摺動可能領域の端部に向かって移動する際に前記ブラシと係合する位置に配置されている
ことを特徴とする請求項５記載のショーケース。
【請求項７】
前記キックプレートには、前記塵埃除去部材により除去されて落下する塵埃を外部に排出するための排出口が形成されている
ことを特徴とする請求項５又は６記載のショーケース。
【請求項８】
前記ブラシは前記キックプレートと前記凝縮器用フィルタの間に配置されている
ことを特徴とする請求項１乃至７何れか１項記載のショーケース。
【請求項９】
前記ブラシの左右方向への摺動を検出するブラシ検出センサと、
前記ブラシ検出センサの検出結果に基づき凝縮器用フィルタの清掃実施状況を判定する制御装置とを備えた
ことを特徴とする請求項１乃至８何れか１項記載のショーケース。
【発明の詳細な説明】
【技術分野】
【０００１】
本発明は、冷凍装置を内蔵したショーケースに関する。
【背景技術】
【０００２】
コンビニエンスストアやスーパーマーケット等に設置されている冷凍装置内蔵型のショーケースは、商品収納部を有するショーケース本体と、ショーケース本体の下部に設けられた機械室とを備えている。機械室の側面は開口しており、この開口はキックプレートと呼ばれる板状部材により開閉自在に閉塞されている。キックプレートには、機械室内に外気を取り入れるための多数の通気孔が形成されている。機械室内には、冷凍装置の一部を構成する圧縮機や凝縮器などの機器が設置されている。凝縮器はキックプレートの通気孔と対向する位置に配置されている。凝縮器に対してキックプレートの反対側には凝縮器用送風器が設置されている。凝縮器用送風器の駆動により、キックプレートの通気孔から外気が機械室内に導入される。この外気は凝縮器の熱交換パイプの周囲を通過する。これにより凝縮器は冷却される。
【０００３】
外気には塵埃が含まれるため、この塵埃により凝縮器に目詰まりが生じるおそれがある。そして、凝縮器に目詰まりが生じると、冷媒と外気との熱交換効率が悪化し、消費電力が増大する。さらに、この目詰まりを長期間放置すると冷却性能の悪化、ひいては商品の劣化が生じるおそれもある。そこで、前記キックプレートの通気孔形成領域の内側には、キックプレートと凝縮器との間に、凝縮器用フィルタが着脱自在に設けられている。この凝縮器用フィルタは、通気孔から導入された外気に含まれる塵埃を捕獲する。
【先行技術文献】
【特許文献】
【０００４】
【特許文献１】特開２０１６−１０９３９０号公報
【発明の概要】
【発明が解決しようとする課題】
【０００５】
凝縮器用フィルタに塵埃が蓄積すると凝縮器への外気の供給量が低下するため、前述と同様に、冷媒と外気との熱交換効率が悪化し、消費電力が増大するおそれがある。このため、凝縮器用フィルタは定期的な清掃作業をする必要である。この清掃作業は、まず、キックプレートを開けて機械室内から凝縮器用フィルタを取り外す。そして凝縮器用フィルタの水洗いや、掃除機等での塵埃の吸引などの洗浄作業を行う。このように、従来のショーケースにおける清掃作業は、キックプレートを開閉する工程を含むため手間と時間がかかるものであった。また、この清掃作業は、キックプレートの開閉のために広い作業スペースを確保する必要であった。
【０００６】
このような問題を解決するために、特許文献１に示すショーケースが提案されている。このショーケースは、キックプレートの上部に切り欠き部が設けられている。凝縮器用フィルタはこの切り欠き部を介して機械室から取り出し可能としている。これにより、キックプレートの開閉工程が不要となるので、清掃作業の作業量が軽減するとともに広い作業スペースも不要となる。
【０００７】
しかしながら、特許文献１のショーケースでは、凝縮器用フィルタを取り外したり装着したりするという工程が依然として残っている。同様に、取り外した凝縮器用フィルタを店舗裏などの作業に持ち出し、凝縮器用フィルタの洗浄等を行うという工程も依然として残っている。また、凝縮器用フィルタの洗浄作業にはある程度の慣れが必要であり、慣れていない店員が当時作業を行うと洗浄が十分でなく塵埃が残存することもあった。このように凝縮器用フィルタの清掃作業は、依然として時間や手間や慣れが必要であり、これをより簡便且つ確実に行いたいという要望があった。
【０００８】
本発明は上記事情に鑑みてなされたものであり、その目的とするところは、凝縮器用フィルタの清掃を簡便且つ確実に行うことができるショーケースを提供することにある。
【課題を解決するための手段】
【０００９】
上記目的を達成するために、本願発明は、ショーケース本体の下部に設けられた機械室と、前記機械室側面の開口を開閉するとともに外気を機械室内に導入する通気孔が形成されたキックプレートと、前記機械室内であって前記キックプレートの通気孔と対向する位置に設けられた凝縮器と、前記キックプレートと前記凝縮器との間に配置された凝縮器用フィルタとを備えたショーケースにおいて、前記凝縮器用フィルタに対して上下に亘って延在する態様で当接して前記凝縮器用フィルタに付着した塵埃を除去する少なくとも２つのブラシを左右方向に備え、前記ブラシは、所定間隔を維持した状態で前記キックプレートの外側からの操作により左右方向に摺動可能に設けられ、最左端のブラシと最右端のブラシの間隔をブラシの長さと同じ又は長くしたことを特徴とする。
【発明の効果】
【００１０】
本発明によれば、キックプレートの外側からの操作により所定間隔を維持した状態でブラシが左右に摺動する。このブラシは凝縮器用フィルタに当接しているので、前記操作により凝縮器用フィルタに付着した塵埃がブラシにより除去される。このように本発明によれば、キックプレートを開けたり凝縮器用フィルタを機械室から取り出したりすることなく、凝縮器用フィルタの清掃を簡便且つ確実に行うことができる。また、本発明によれば、左右方向に少なくとも２つのブラシを備えるので、ブラシの左右方向の摺動距離を短くすることができ、これにより清掃作業がより簡便なものとなる。さらに、本発明によれば、最左端のブラシと最右端のブラシの間隔をブラシの長さと同じ又は長くしたので、ブラシの左右方向の摺動を滑らか且つバランスよく行うことができ、これにより操作性が向上する。
【図面の簡単な説明】
【００１１】
【図１】ショーケースの外観斜視図
【図２】ショーケースの縦断面図
【図３】キックプレートの構成を説明する分解斜視図
【図４】キックプレートの構成を説明する分解斜視図
【図５】凝縮器用フィルタの正面図
【図６】ブラシユニットの斜視図
【図７】塵埃除去具の正面図及び断面図
【図８】キックプレートの動作を説明する斜視図
【図９】キックプレートの背面図
【図１０】ショーケースの制御系の機能ブロック図
【発明を実施するための形態】
【００１２】
本発明の一実施の形態に係るショーケースについて図面を参照して説明する。図１はショーケースの外観斜視図、図２はショーケースの縦断面図である。
【００１３】
このショーケース１は、内側に商品収納部３を形成する前面開口のショーケース本体２と、このショーケース本体２の下部に設置された機械室４とを備えたものである。
【００１４】
ショーケース本体２は、側断面が略コ字状の断熱壁５と、断熱壁５の内側に所定の間隔をおいて配置された仕切板６と、断熱壁５の後方に所定の間隔をおいて配置された背面板７と、断熱壁５の前端部から背面板７の上端に亘って被装する天井パネル８と、断熱壁５と仕切板６間の空間及び断熱壁５と背面板７間の空間の左右方向を閉鎖する左右一対の側板９と、この側板９の外側に設けた左右一対のガラス板１０とを備える。商品収納部３内には、複数段（本実施の形態では５段）の着脱自在の商品棚１１と、商品棚１１の下方には底棚１２とが配置されている。底棚１２は、断熱壁５の底壁と所定の間隔をおいて配置されるとともに後端部が仕切板６の下端に当接している。このような構成により、仕切板６及び底棚１２と断熱壁５との間隙に冷気ダクト１３を形成している。
【００１５】
底棚１２と断熱壁５との間には冷却ファン１４が設置されている。仕切板６の後方には冷凍装置の一部を構成する冷却器１５が設置されている。冷却器ファン１４を駆動すると、冷却器１５で冷却された冷気はダクト１３内を流通し、その上部前端の吹出口から吹き出される。吹出口から吹き出された冷気は商品収納部３内を冷却し、下部前端の吸入口から冷気ダクト１３内に流入する。
【００１６】
機械室４は、直方体状のフレームからなる架台１６の左右側面の開口を閉鎖する板状の側板１７と、架台１６の底面開口を閉鎖する底板（図示省略）と、架台１６の前側面の開口を閉鎖するキックプレート１００と、前記断熱壁５の底面と、前記背面板７の下部とによって区画された空間である。機械室４の上部後端は、背面板７及び断熱壁５間に形成された排気ダクト１８と連通している。この排気ダクト１８により、機械室４内に発生する熱が外部に排出される。
【００１７】
機械室４内には、冷凍装置の一部を構成する凝縮器２０、凝縮器用フィルタ２００と、ブラシユニット３００と、凝縮器用ファン２１、圧縮機２２、電装装置（図示省略）、その他の機器が設置されている。凝縮器２０は、機械室４の前端部、すなわちキックプレート１００と対向する位置に配置されている。より詳しくは、凝縮器２０は、キックプレート１００における通気孔１１１（後述する）の形成領域と対向する位置に配置されている。凝縮器用フィルタ２００は、キックプレート１００の内側に着脱自在に付設されている。凝縮器用フィルタ２００は、キックプレート１００における通気孔１１１（後述する）の形成領域に対向する位置であって、キックプレート１００と凝縮器２０との間に配置されている。凝縮器用ファン２１は、凝縮器２０のキックプレート１００に対して反対側に配置されている。凝縮器用ファン２１の送風方向は、キックプレート１００の通気孔１１１（後述する）から機械室４内に外気を吸入する方向である。
【００１８】
次に、キックプレート１００及びキックプレート１００に付設される機器について図３〜図８を参照して説明する。図３及び図４はキックプレートの構成を説明する分解斜視図、図５は凝縮器用フィルタの正面図、図６はブラシユニットの斜視図、図７は塵埃除去具の正面図及び断面図、図８はキックプレートの動作を説明する斜視図、図９はキックプレートの断面図である。
【００１９】
なお、理解を容易にするため、図３では凝縮器用フィルタ、ブラシユニット及びフィルタ押さえ枠の図示を省略している。同様に、理解を容易にするため、図４では凝縮器用フィルタ及びブラシユニットの図示を省略している。同様に、理解を容易にするため、図８ではキックプレートに凝縮器用フィルタ、ブラシユニットのみを取り付けた様子を図示している。
【００２０】
キックプレート１００は横長矩形の板状部材からなる。キックプレート１００は、図３に示すように、上縁部から架台１６方向すなわち後方に向かって折り曲げて形成された上折り曲げ部１０１と、同様に左右縁部から後方に向かって折り曲げて形成された左右折り曲げ部１０２と、同様に下縁部から後方に向かって折り曲げて形成された下折り曲げ部１０３とを備えている。キックプレート１００の下折り曲げ部１０３の縁部には、図示しない引っ掛け片（図示省略）が形成されている。またキックプレート１００の内側には、機械室４の架台１６等に着脱する左右一対のマグネット（図示省略）が設けられている。このような構成により、キックプレート１００の引っ掛け片を架台１６に引っ掛けることにより、キックプレート１００は、その下縁を軸として前方に開閉自在となっている。また、キックプレート１００の下縁の引っ掛け片と架台１６との係合を解除することにより、キックプレート１００を完全に取り外すことができる。すなわち、キックプレート１００は着脱自在に設けられている。
【００２１】
キックプレート１００には、複数の通気孔１１１が形成されている。本実施の形態では、通気孔１１１は横長の長孔形状である。通気孔１１１は、複数列×複数段のマトリクス状に配置されている。すなわち、通気孔１１１は、所定の間隔をおいて左右方向及び上下方向に整列するよう形成されている。したがって、キックプレート１００には、横方向に隣り合う通気孔１１１間に形成された複数の通気孔非形成領域が上下方向に延在する。
【００２２】
キックプレート１００には、通気孔１１１の上方において、ブラシユニット３００の操作のための、左右に延びる長穴形状の操作用スリット１１２が形成されている。キックプレート１００の下折り曲げ部１０３には、ブラシユニット３００の摺動のための、左右に延びる長穴形状のガイド孔１０４が操作用スリット１１２と平行して形成されている。
【００２３】
キックプレート１００の下折り曲げ部１０３には、ガイド孔１０４の左右側方において、凝縮器用フィルタ２００を保持するための左右一対の保持孔１０５が形成されている。キックプレート１００の下折り曲げ部１０３には、ガイド孔１０４の中央後方において、凝縮器用フィルタ２００の中央下縁部と係合する係合片１０６が設けられている。キックプレート１００の下折り曲げ部１０３には、左右のガイド孔１０４の左右側方において、塵埃を外部に排出するための左右一対の矩形の排出口１０７が形成されている。
【００２４】
キックプレート１００の内側には、通気孔１１１から吸入された外気を凝縮器２０に導くための断面横長矩形のダクト４００が設けられている。
【００２５】
ダクト４００の前端は全ての通気孔１１１及び操作用スリット１１２の形成領域を包含する。ダクト４００の後端は凝縮器２０の前面を包含する。ダクト４００の後端左右縁部には、外側に張り出した張出部４０１が形成されている。ダクト４００の左右内側には、一対の塵埃除去具５００（後述する）が設けられている。
【００２６】
図４に示すように、ダクト４００の後端、すなわち凝縮器２０側の端には、凝縮器用フィルタ２００の周縁部を前方に押さえつけるためのフィルタ押さえ枠４１０が設けられている。フィルタ押さえ枠４１０は、左右方向に延びる上辺４１１と、上辺４１１の左右端部から下方に延びる左辺４１２及び右辺４１３とを備えている。左辺４１２及び右辺４１３の下端には、キックプレート１００に取り付けるための取付片４１２ａ，４１３ａが形成されている。この取付片４１２ａ，４１３ａは、キックプレート１００の下折り曲げ部１０３の後端から上方に向かって屈曲形成された支持部１０３ａと当接し、化粧ネジ（図示省略）などの締結具を用いて固定される。また、左辺４１２及び右辺４１３の外側縁部は、塵埃除去具５００の凝縮器２０側の面に当接し、化粧ネジ（図示省略）などの締結具を用いて固定される。
【００２７】
凝縮器用フィルタ２００は、図５に示すように、横長矩形のメッシュ部材からなるフィルタ本体２０１と、フィルタ本体２０１の左右の片及び上辺に設けられた主フレーム２０２と、フィルタ本体２０１の下片に設けられるとともに主フレーム２０２の左右の辺を連結する下補助フレーム２０３と、フィルタ本体２０１の上下方向の中央において主フレーム２０２の左右の片を連結する中央補助フレーム２０４とを備えている。フィルタ本体２０１の大きさは、ダクト４００の上辺４１１の内面及び塵埃除去具５００の側面により規定される通風路の断面とほぼ等しい又はやや小さい。
【００２８】
主フレーム２０２は、棒状部材を屈曲形成してなる。主フレーム２０２の左右の下端部は、下補助フレーム２０３よりも下方に位置する。主フレーム２０２の左右の下端部は、キックプレート１００の保持孔１０５に挿通される。下補助フレーム２０３の中央部は、前記係合片１０６と係合する。中央補助フレーム２０４は、フィルタ本体２０１に対して凝縮器２０側に配置されている。
【００２９】
図６及び図８に示すように、ブラシユニット３００は、略矩形の枠体３１０と、枠体３１０に連結した操作部３２０と、枠体３１０に付設された左右一対のブラシ３３０とを備えている。枠体３１０は、左右方向に延びる上辺３１１及び下辺３１２と、上下方向に延びる左辺３１３及び右辺３１４とを備えている。すなわち枠体３１０の各辺３１１〜３１４によって囲繞された領域は開口部３１５である。
【００３０】
枠体３１０の下辺３１２の底面には、キックプレート１００のガイド孔１０４に挿通する凸部３１６が設けられている。本実施の形態では、下辺３１２に上下方向に付設したネジにより凸部３１６を構成した。操作部３２０は、キックプレート１００の操作用スリット１１２に挿通されるとともに前記枠体３１０の上片３１１の中央に連結した連結軸３２１と、連結軸３２１の端部に形成されキックプレート１００の外側に配置された把手３２２とを備えている。凸部３１６及びガイド孔１０４並びに連結軸３２１及び操作用スリット１１２により、ブラシユニット３００の摺動可能方向が、操作用スリット１１２及びガイド孔１０４に平行、すなわちキックプレート１００の左右方向に規制される。このような構成により、キックプレート１００の外側から把手３２２を左右に移動させると、ブラシユニット３００が、キックプレート１００の内側であって、枠体３１０の下辺３１２の底面がキックプレート１００の下折り曲げ部１０３の上面に載置された状態で、ガイド孔１０４に沿って左右に摺動する。
【００３１】
ブラシユニット３００の左右の摺動領域は、ガイド孔１０４の横方向長さによって規定される。ここで、ガイド孔１０４は、ブラシユニット３００が摺動領域の左右両端まで摺動すると、当該摺動領域の左右両端側のブラシ３３０は、前記キックプレート１００の排出口１０７よりも外側に位置するように形成されている。なお、清掃作業を行っていない通常時（待機時とも言う）には、ブラシユニット３００は、何れか一方の端に位置にさせておく。
【００３２】
ブラシ３３０は、前記枠体３１０の左辺３１３及び右辺３１４に付設されている。換言すれば、枠体３１０は、一対のブラシ３３０を所定の間隔で維持した状態で保持する保持部材である。ブラシ３３０の毛３３１は後方、すなわち凝縮器用フィルタ２００方向に延びている。ブラシ３３０の毛３３１は、凝縮器用フィルタ２００に所定の圧力で当接する。ブラシ３３０は、凝縮器用フィルタ２００に対して上下に亘って延在する態様で当接するよう、上下方向を長手方向とする縦長形状である。ブラシユニット３００が左右に摺動すると、ブラシ３３０の毛３３１が凝縮器用フィルタ２００の表面を擦り、凝縮器用フィルタ２００に付着した塵埃が除去されてブラシ３３０に付着する。ここで、凝縮器用フィルタ２００は中央補助フレーム２０４を備えるとともにフィルタ押さえ枠４１０のより前方に押さえられているので、どの摺動位置においても、ブラシ３３０を凝縮器用フィルタ２００に所定の圧力で押し合てることができる。これにより、凝縮器用フィルタ２００の全面にわたって安定した塵埃の除去が可能となる。
【００３３】
前記一対のブラシ３３０の間隔は、図９に示すように、ブラシ３３０の上下方向の長さとほぼ等しい又は長く設定されている。これにより、ブラシユニット３００の左右方向の摺動距離を短くすることができるとともに、ブラシユニット３００の左右方向の摺動を滑らか且つバランスよく行うことができる。また、ブラシユニット３００が待機時の位置にあるときには、一方のブラシ３３０は排出口１０７よりやや外側に位置する。このとき、他方のブラシ３３０は、キックプレート１００に形成された通気孔１１１の間隙と対向する、換言すれば、キックプレート１００における通気孔非形成領域と対向する。このような構成により、待機時においてブラシ３３０が通気孔１１１を塞ぐことによる外気の吸入量の低下を防止できる。また、ショーケース１の前方からブラシ３３０が見えないので、すっきりした美観が得られる。
【００３４】
前述した塵埃除去具５００は、図７に示すように、上下方向に延びる縦長の板状部材を断面略コ字状に屈曲形成したものである。すなわち、塵埃除去具５００は、キックプレート１００と平行に形成された第１部材５１０と、キックプレート１００の中央側の第１部材５１０の一方の縁部から前方（キックプレート１００方向）に向かって延びる第２部材５２０と、第１部材の他方の縁部から前方に向かって延びる第３部材５３０と、第２部材５２０の前側縁部から塵埃除去具５００の内側に向かって延びる第４部材５４０とからなる。第４部材５４０は、キックプレート１００と平行する面よりもやや後方に向かって屈曲されている。第４部材５４０が延在する方向と、ブラシ３３０の毛３３１の伸びる方向は、ほぼ直交している点に留意されたい。
【００３５】
塵埃除去具５００の第４部材５４０の縁部には、鋸状、波状又は櫛状の除去部５４１が形成されている。この除去部５４１は、図９に示すように、キックプレート１００の排出口１０７の上方に配置されている。塵埃除去具５００の第３部材５３０は、ダクト４００の左右内側に付設されている。このような構成により、ブラシユニット３００をキックプレート１００の中央から待機時の位置に向かって移動させるとき、及び、ブラシユニット３００待機時の位置から中央に向かって移動させるとき、一方のブラシ３３０の毛３３１が塵埃除去具５００の第２部材５２０及び第４部材５４０に当接する。このとき、このブラシ３３０の毛３３１は除去部５４１の隙間に入り込む。これにより、ブラシ３３０に付着していた塵埃はブラシ３３０から除去され下方に落下する。そして、下方に落下した塵埃は、排出口１０７からショーケース１の外に排出される。
【００３６】
キックプレート１００の内側には、ブラシユニット３００の左右方向への摺動を検出するブラシユニット検出センサ６０１を備えている。ブラシユニット検出センサ６０１は、ブラシユニット３００の摺動領域に設置されている。換言すれば、ブラシユニット検出センサ６０１は、ブラシユニット３００が待機位置にあるときにはブラシユニット３００を検出することなく、ブラシユニット３００が待機位置から中央に向けて摺動した際に、ブラシユニット３００の通過を検出する位置に設置されている。本実施の形態では、ブラシユニット検出センサ６０１は、ダクト４００の上部であって、ブラシユニット３００が待機位置にある時にブラシユニット３００を検出しない位置に設けられている。このように、ブラシユニット検出センサ６０１を待機位置ではない摺動部に設置することにより、待機位置まで動作が完了していない場合にも清掃動作を検出することができる。
【００３７】
ブラシユニット検出センサ６０１としては、例えば、マイクロスイッチ、光センサ、リードスイッチと呼ばれる磁気近接センサなど種々のものを用いることができる。本実施の形態では、ブラシユニット検出センサ６０１として磁気近接センサを用いるとともに、待機位置側のブラシ３３０の上部にブラシユニット検出センサ６０１を作動させるためのマグネット６０１ａを設けた。
【００３８】
次に、ショーケース１の制御系について図１０を参照して説明する。図１０はショーケースの制御系の機能ブロック図である。なお、ここでは本願発明の要旨に係る構成のみを説明する。
【００３９】
ショーケース１は、図１０に示すように、前述したブラシユニット検出センサ６０１と、凝縮器２０の温度を検出する凝縮器温度センサ６０２と、制御装置６１０と、警報装置６２０と、通信制御装置６３０とを備えている。制御装置６１０は、ブラシユニット検出センサ６０１の検出結果に基づき凝縮器用フィルタの清掃の実施状況を判定するフィルタ清掃実施判定部６１１を備えている。ショーケース１は、通信制御装置６３０及び店舗に設置されたネットワーク制御装置７１０を介して店舗端末７２０と通信可能である。店舗端末７２０は、例えばタブレット端末などの店員に携帯されるコンピュータであり、１台又は複数台のショーケース１を集中管理する。
【００４０】
フィルタ清掃実施判定部６１１は、ブラシユニット検出センサ６０１がブラシユニット３００の左右方向への摺動を検出すると、凝縮器用フィルタ２００の清掃が実施済みであると判定する。また、フィルタ清掃実施判定部６１１は、ブラシユニット検出センサ６０１がブラシユニット３００の左右方向への摺動が所定期間（例えば２週間）検出されない場合、所定期間清掃が不実施であると判定する。フィルタ清掃実施判定部６１１は、凝縮器用フィルタ２００の清掃が実施済みであると判定した場合、通信制御装置６３０及びネットワーク制御装置７１０を介して店舗端末７２０に前記判定結果を通知する。また、フィルタ清掃実施判定部６１１は、所定期間清掃が不実施であると判定とした場合、通信制御装置６３０及びネットワーク制御装置７１０を介して店舗端末７２０に前記判定結果を通知する。店舗端末７２０は、受信した各通知を記憶・管理し、各通知に基づきショーケース１を集中管理する。店舗端末７２０は、各通知を受信すると、店員に対して凝縮器用フィルタ２００の清掃を促すなど各通知に対応した処理を行う。また、前記判定結果は、ネットワーク制御装置７１０を介して店舗外の管理コンピュータ（図示省略）に通知することもできる。
【００４１】
また、フィルタ清掃実施判定部６１１は、前記判定結果を警報装置６２０に通知する。警報装置６２０は、凝縮器温度センサ６０２により検出された凝縮器２０の温度及び受信した通知に基づき、所定の条件で警報動作を行う。警報動作の形態としては、ランプやブザーなどによる警報が挙げられる。なお、前記条件には「凝縮器２０の温度が所定の正常温度範囲内にあるか否か」が含まれる。また、前記所定期間は、凝縮器用フィルタ２００が清掃された状態から塵埃が蓄積することにより凝縮器２０の温度が所定の正常温度範囲を超えるまでの期間よりも小さく設定されている（例えば２週間）。このため、店員が凝縮器用フィルタ２００の清掃を長期間行っていない場合、警報装置６２０による警報動作よりも先に、店舗端末７２０が店員に対して凝縮器用フィルタ２００の清掃を促す処理が行われる。
【００４２】
このようなショーケース１によれば、キックプレート１００の外側からの操作によりブラシ３３０を有するブラシユニット３００が左右に摺動する。ここで一対のブラシ３３０は所定間隔を維持した状態で左右に摺動する。ブラシ３３０は凝縮器用フィルタ２００に当接しているので、前記操作により凝縮器用フィルタ２００に付着した塵埃がブラシ３３０により除去される。このように本発明によれば、キックプレート１００を開けたり凝縮器用フィルタ２００を機械室４から取り出したりすることなく、凝縮器用フィルタ２００の清掃を簡便且つ確実に行うことができる。
【００４３】
また、ブラシユニット３００は左右方向に少なくとも２つのブラシ３３０を備えるので、ブラシユニット３００の左右方向の摺動距離を短くすることができ、これにより清掃作業がより簡便なものとなる。さらに、最左端のブラシ３３０と最右端のブラシ３３０の間隔をブラシ３３０の長さと同じ又は長くしたので、ブラシユニット３００の左右方向の摺動を滑らか且つバランスよく行うことができ、これにより操作性が向上する。
【００４４】
また、凝縮器用フィルタ２００から除去されブラシ３３０に付着した塵埃は、塵埃除去具５００によりブラシ３３０から除去される。そして除去された塵埃は、排出口１０７からショーケース１の外部に排出される。なお、外部に排出された塵埃は店舗の床に残るので店員は掃除機やモップ等により掃除する必要がある。しかし、当該作業は店舗全体の床掃除とかねることができるので、店舗運用を効率的に行うことができる。
【００４５】
また、ブラシユニット３００が待機位置にある場合、ブラシ３３０はキックプレート１００の内側であって通気孔非形成領域に配置されるので、ブラシ３３０が通気孔１１１を塞ぐことによる外気の吸入量の低下を防止できる。また、ショーケース１の前方からブラシ３３０が見えないので、すっきりした美観が得られる。
【００４６】
また、ブラシ３３０を有するブラシユニット３００はキックプレート１００と凝縮器用フィルタ２００の間に配置されているので、キックプレート１００の外側からブラシユニット３００へのアクセスが容易であり、ブラシユニット３００を摺動動作させるための構造を簡便に構成できる。
【００４７】
また、ブラシユニット３００の左右方向への摺動を検出するブラシユニット検出センサ６０１と、ブラシユニット検出センサ６０１の検出結果に基づき凝縮器用フィルタ２００の清掃実施状況を判定する制御装置を備えているので、凝縮器用フィルタ２００の清掃実施状況に基づき、凝縮器用フィルタ２００の清掃時期の管理など種々の管理を行うことができる。
【００４８】
以上本発明の一実施形態について詳述したが本発明はこれに限定されるものではない。例えば、上記実施の形態ではブラシユニット３００に対して２つのブラシ３３０を設けていたが、３つ以上のブラシ３３０を設けてもよい。また、上記実施の形態では、ブラシユニット３００の個数と塵埃除去具５００の個数を同数としたが、両者の個数は一致していなくてもよい。
【００４９】
また、上記実施の形態では、複数のブラシ３３０を所定間隔に維持した状態で保持する保持部材として枠型の枠体３１０を用いていたが、他の形状の部材であっても本発明を実施できる。
【００５０】
また、上記実施の形態では、ブラシユニット検出センサ６０１は、ブラシユニット３００の摺動領域であって、待機位置にあるブラシユニット３００を検出しない位置に設けられていたが、待機位置にあるブラシユニット３００を検出する位置に設けてもよい。この場合、ブラシユニット検出センサ６０１がブラシユニット３００を検出しなくなったことにより、ブラシユニット３００が摺動したことを検出することができる。また、上記実施の形態では、ブラシユニット検出センサ６０１の個数は１つであったが、複数であってもよい。また、各ブラシ３３０はブラシユニット３００に付設されているので、上記実施の形態では、ブラシ３３０の左右方向への摺動を検出する手段として、ブラシユニット３００の左右摺動を検出するブラシユニット検出センサ６０１を用いていたが、ブラシ３３０の左右摺動を直接検出するブラシ検出センサとしてもよい。この場合、一対のブラシ３３０のうち一方のみを検出するようにしてもよいし、双方のブラシ３３０を検出するようにしてもよい。
【００５１】
また、上記実施の形態では、前面にキックプレート１００を設けたショーケース１について例示したが、左右側面や背面にキックプレート１００を設けたショーケースであっても本発明を実施できる。
【００５２】
また、上記実施の形態では、前面開放型のショーケースについて例示したが、上面開放型の平型ショーケースや、前面に扉を設けた閉鎖型のショーケースであっても本発明を実施できる。
【符号の説明】
【００５３】
２０…凝縮器
２１…凝縮器用ファン
１００…キックプレート
１１１…通気孔
１１２…操作用スリット
２００…凝縮器用フィルタ
３００…ブラシユニット
３１０…枠体
３２０…操作部
３３０…ブラシ
３３１…毛
４００…ダクト
４１０…フィルタ押さえ枠
５００…塵埃除去具
６０１…ブラシユニット検出センサ
６０２…凝縮器温度センサ
６１０…制御装置
６１１…フィルタ清掃実施判定部
６２０…警報装置
６３０…通信制御装置
７１０…ネットワーク制御装置
７２０…店舗端末
【図１】
2019200023.tif 000003
【図２】
2019200023.tif 000004
【図３】
2019200023.tif 000005
【図４】
2019200023.tif 000006
【図５】
2019200023.tif 000007
【図６】
2019200023.tif 000008
【図７】
2019200023.tif 000009
【図８】
2019200023.tif 000010
【図９】
2019200023.tif 000011
【図１０】
2019200023.tif 000012